(57)【要約】【課題】  装置の小型化と廉価を図る。【解決手段】  カード挿入口７ａから挿入されたカードは、取込みローラ１４と第１のピンチローラ２２とによってカード搬送路６内に搬送される。カード搬送路６内には、接触状態でカードのデータを処理するＩＣ接点スライダ２５が設けられている。カード処理装置１を固定する基台３０には、第２のカード処理手段３３を着脱自在に設置する設置部３０ａが設けられている。カード搬送路６の後端側に設けられた排出ローラ１９と第２のピンチローラ２３とによって挟持された非接触型ＩＣカードＣＢは、カード排出口８から露呈する。露呈した非接触型ＩＣカードＣＢは、第２のカード処理手段３３によって処理される。【選択図】  図４
2005115624.tif 000002
【特許請求の範囲】
【請求項１】
カードが挿入されるカード挿入口と、このカード挿入口に連通するカード搬送路と、前記カード挿入口と前記カード搬送路を挟んで反対側に設けた開口と、前記カード搬送路に設けられ前記カード挿入口から挿入されたカードを搬送するカード搬送手段と、前記カード搬送路に設けられカードのデータを接触状態で処理する第１のカード処理手段とを備えたカード処理装置において、前記カード搬送手段によってカードを前記開口から露呈した状態で保持し、保持されたカードのデータを非接触状態で処理する第２のカード処理手段を着脱自在に設置する設置部を前記カード搬送路の外側に設けたことを特徴とするカード処理装置。
【請求項２】
請求項１記載のカード処理装置において、前記カード搬送手段を、前記カード搬送路の前記カード挿入口側に設けた第１の駆動ローラおよびこれと対接する第１のピンチローラと、前記カード搬送路の前記開口側に設けた第２の駆動ローラおよびこれと対接する第２のピンチローラとによって構成したことを特徴とするカード処理装置。
【発明の詳細な説明】
【技術分野】
【０００１】
本発明は、カードのデータを接触状態で処理する接触型のカード処理手段と、無線によってカードのデータを非接触状態で処理する非接触型のカード処理手段とを備えたカード処理装置に関するものである。
【背景技術】
【０００２】
従来のカード処理装置は、カードが搬送されるカード搬送路を挟むようにして、接触型のカード処理手段と、非接触型のカード処理手段とが配置されたものがある（例えば、特許文献１参照）。また、対向する一対のエンドレスベルトに沿って接触型のカード処理手段と、非接触型のカード処理手段とが配置されたものもある（例えば、特許文献２参照）。なお、本出願人は、本明細書に記載した先行技術文献情報で特定される先行技術文献以外には、本発明に密接に関連する先行技術文献を出願時までに見付け出すことはできなかった。
【特許文献１】特開平９−１６１０２２号公報（段落「００２８」および「００２９」、図１，６，７）
【特許文献２】特開平８−２３５３３０号公報（段落「００２０」および「００２１」、図２）
【発明の開示】
【発明が解決しようとする課題】
【０００３】
上述した従来のいずれのカード処理装置においても、接触型のカード処理手段と、非接触型のカード処理手段とを共に装置に内蔵した構造としているため、非接触型のカード処理手段が不要になった場合、または現在不要でも将来的に必要な場合にも、これを装置に内蔵したままの状態としておかなければならないため、装置の小型化に支障をきたすとともに、高価になるという問題があった。
【０００４】
本発明は上記した従来の問題に鑑みなされたものであり、その目的とするところは、装置の小型化を図るとともに、廉価に形成することにある。
【課題を解決するための手段】
【０００５】
この目的を達成するために、請求項１に係る発明は、カードが挿入されるカード挿入口と、このカード挿入口に連通するカード搬送路と、前記カード挿入口と前記カード搬送路を挟んで反対側に設けた開口と、前記カード搬送路に設けられ前記カード挿入口から挿入されたカードを搬送するカード搬送手段と、前記カード搬送路に設けられカードのデータを接触状態で処理する第１のカード処理手段とを備えたカード処理装置において、前記カード搬送手段によってカードを前記開口から露呈した状態で保持し、保持されたカードのデータを非接触状態で処理する第２のカード処理手段を着脱自在に設置する設置部を前記カード搬送路の外側に設けたものである。
また、請求項２に係る発明は、請求項１に係る発明において、前記カード搬送手段を、前記カード搬送路の前記カード挿入口側に設けた第１の駆動ローラおよびこれと対接する第１のピンチローラと、前記カード搬送路の前記開口側に設けた第２の駆動ローラおよびこれと対接する第２のピンチローラとによって構成したものである。
【発明の効果】
【０００６】
本発明によれば、装置を小型化することができるとともに廉価に形成できる。
【発明を実施するための最良の形態】
【０００７】
以下、本発明の実施の形態を図に基づいて説明する。図１は本発明に係るカード処理装置の平面図、図２は接触型ＩＣカードを処理している状態を示す図１におけるII-II 線断面図、図３は図１におけるIII 矢視図、図４は非接触型ＩＣカードを処理している状態を示す図１におけるII-II 線断面図である。
【０００８】
図１および図２において、全体を符号１で示すカード処理装置は、下方が開口したロアーケース２と、上方が開口したアッパーケース３とによって構成されており、ロアーケース２の上板４のカード搬送面４ａと、アッパーケース３の底板５のカード搬送面５ａとによって矢印Ａ−Ｂ方向に延在するカード搬送路６が形成されている。
【０００９】
ロアーケース２の前端部には、カード挿入口部材７が取り付けられており、このカード挿入口部材７にはカード搬送路６に連通するカード挿入口７ａが設けられており、カード搬送路６の後端側、すなわちカード挿入口７ａとカード搬送路６を挟んで反対側には、カード排出口８が設けられている。９は正・逆方向へ駆動するカード搬送用のモータであって、このモータ１０の駆動は減速歯車列１０およびベルト１１を介してプーリ１２に伝達され、このプーリ１２は駆動軸１３の一端に軸着され、駆動軸１３の他端側には第１の駆動ローラとしての取込みローラ１４が軸着されている。この取込みローラ１４はカード挿入口７ａ側に設けられ、この取込みローラ１４の上端はロアーケース２の上板４に設けた窓４ｂからカード搬送路６に臨んでいる。１５はダイヤルノブであって、カード搬送路６内でカードが詰まった場合に、手によってダイヤルノブ１５を回すことにより、手動によって駆動ローラ１１を回転させることができ、詰まったカードをカード挿入口７ａから排出することが可能になる。
【００１０】
１７は駆動軸１８の一端に軸着されたプーリであって、このプーリ１７とプーリ１２との間にベルト１６が張架されており、駆動軸１８の他端側には第２の駆動ローラとしての排出ローラ１９が軸着され、排出ローラ１９はモータ９を駆動源として、取込みローラ１４と同期して同じ方向に回転する。この排出ローラ１９はカード排出口８側に設けられ、この排出ローラ１９の上端はロアーケース２の上板４に設けた窓４ｃからカード搬送路６に臨んでいる。２０はカード搬送路６のカード挿入口７ａ側に設けられたシャッタであって、１枚目のカードがカード搬送路６内に取り込まれると、カード挿入口７ａから挿入される２枚目のカードのカード搬送路６内への取込みを規制する。
【００１１】
２２はアッパーケース３側に回転自在に支持された第１のピンチローラであって、下端がアッパーケース３の底板５に設けた窓５ｂからカード搬送路６に臨み、付勢手段によって取込みローラ１４に押圧されている。２３はアッパーケース３側に回転自在に支持された第２のピンチローラであって、下端がアッパーケース３の底板５に設けた窓５ｃからカード搬送路６に臨み、付勢手段によって排出ローラ１９に押圧されている。この第２のピンチローラ２３と排出ローラ１９とは、後述するように接触型ＩＣカードＣＡ（以下、カードＣＡという）、非接触型ＩＣカードＣＢ（以下、カードＣＢという）をカード排出口８から排出するとともに、図４に示すように、カードＣＢの後端部を挟持することにより、カードＣＢの後端部以外の部位をカード排出口８から露呈させ水平状態に保持できるように構成されている。
【００１２】
２５は下部側にＩＣ接点２５ａと係合部２５ｂとを備えた接触状態でカードを処理する第１のカード処理手段としてのＩＣ接点スライダであって、底板５に立設したガイド壁２６のガイド溝２６ａによって、アッパーケース３の底板５に設けた窓５ｄからカード搬送路６に進退自在かつ矢印Ａ−Ｂ方向へ移動自在に支持され、カードＣＡの矢印Ａ方向への搬送に追従して矢印Ａ方向に移動するととも降下する。すなわち、このＩＣ接点スライダ２５は、引張りコイルばね２７によって矢印Ｂ方向へ付勢されており、ソレノイド２９によって揺動する揺動部材２８によって、前端側に設けた係合部２５ｂがカード搬送路６に進出するように揺動する。したがって、カード搬送路６内を矢印Ａ方向に搬送される接触型ＩＣカードＣＡの前端が係合部２５ｂに係合し、カードＣＡの矢印Ａ方向への搬送に追従して矢印Ａ方向へ移動するとともに降下し、カードＣＡの電極にＩＣ接点２５ａが接触してカードＣＡに記録されたデータの処理が行われる。
【００１３】
３０は基台であって、この基台３０にはねじ３１ａ，３１ｂによってカード処理装置１が固定されており、この基台３０の矢印Ａ側の端部には、非接触状態でカードを処理する第２のカード処理手段３３を設置する設置部３０ａが設けられている。すなわち、この第２のカード処理手段３３は取付台３４の上端部に取り付けられており、取付台３４の矢印Ｂ方向の端部であって下端の左右両端部に水平方向に突設した取付片３４ａ，３４ａが、カード処理装置１を固定するねじ３１ｂ，３１ｂによって基台３０に共締めされている。このように、取付台３４を介して基台３０の設置部３０ａに固定された第２のカード処理手段３３は、図４に示すようにカード搬送路６の位置よりも高さＨだけ下方に位置付けられている。
【００１４】
次に、このような構成のカード処理装置におけるカード処理動作について説明する。
【００１５】
先ず、カードＣＡを処理する動作を説明する。この場合には、予め、カードＣＡの処理には不要である第２のカード処理手段３３を、図２に示すように、基台３０の設置部３０ａから取り外しておく。この状態としてから、カードＣＡをカード挿入口７ａからカード挿入路６に挿入し、カードＣＡの前端がシャッタ２０を通過すると、センサ（図示せず）がこれを検知しモータ９が正方向に駆動する。したがって、カードの前端が駆動ローラ１４と第１のピンチローラ２２との対接部まで挿入されると、これら両ローラ１４，２２によって矢印Ａ方向へ搬送される。
【００１６】
カードＣＡが矢印Ａ方向へ搬送されると、ソレノイド２９が駆動し揺動部材２８の揺動によってＩＣ接点スライダ２５の係合部２５ｂがカード搬送路６内に進出する。したがって、矢印Ａ方向へ搬送されるカードＣＡの前端が係合部２５ｂに係合するので、カードＣＡの搬送に追従してＩＣ接点スライダ２５も矢印Ａ方向に移動し、ガイド壁２６のガイド溝２６ａによって案内されて降下するので、ＩＣ接点スライダ２５のＩＣ接点２５ａがカードＣＡの電極（図示せず）と接触した状態で、モータ９の駆動が停止しカードＣＡの搬送が停止する。ＩＣ接点スライダ２５のＩＣ接点２５ａとカードＣＡの電極との間でカードＣＡに記録されたデータが処理されると、モータ９が逆方向に駆動し、取込みローラ１４と第１のピンチローラ２２とによって、カードＣＡが矢印Ｂ方向へ搬送され、カード挿入口７ａから排出される。
【００１７】
一方、ＩＣ接点スライダ２５のＩＣ接点２５ａとカードＣＡの電極との間でカードＣＡに記録されたデータが処理された結果、カード排出口８から排出する必要がある場合には、ソレノイド２９の駆動を解除し、揺動部材２８によるＩＣ接点スライダ２５への押圧を解除し、係合部２５ｂをカード搬送路６から退避させる。次いで、モータ９を正方向に駆動し、取込みローラ１４と第１のピンチローラ２２および排出ローラ１９と第２のピンチローラ２３とによってカードＣＡを矢印Ａ方向へ搬送し、カード排出口８から排出する。
【００１８】
次に、カードＣＢを処理する動作を説明する。この場合には、予め、カードＣＢの処理に必要な第２のカード処理手段３３を、図４に示すように、基台３０の設置部３０ａに取り付けておく。また、ソレノイド２９が不動作状態に保たれ、揺動部材２８によるＩＣ接点スライダ２５への押圧が解除され、係合部２５ｂがカード搬送路６から退避した状態が保たれている。この状態としてから、カードＣＢをカード挿入口７ａからカード挿入路６に挿入し、カードＣＢの前端がシャッタ２０を通過すると、センサ（図示せず）がこれを検知しモータ９が正方向に駆動する。したがって、カードの前端が駆動ローラ１４と第１のピンチローラ２２との対接部まで挿入されると、これら両ローラ１４，２２によって矢印Ａ方向へ搬送される。
【００１９】
矢印Ａ方向に搬送されたカードＣＢの前端が排出ローラ１９と第２のピンチローラ２３との対接部に達すると、これら排出ローラ１９と第２のピンチローラ２３とによって矢印Ａ方向に搬送され、カードＣＢの後端部が排出ローラ１９と第２のピンチローラ２３との対接部に位置すると、モータ９の駆動が停止し、カードＣＢの搬送も停止する。この状態で、カードＣＢの後端部が排出ローラ１９と第２のピンチローラ２３とによって挟持され、カードＣＢの後端部以外の部位がカード排出口８から略水平状態に露呈した状態で保持される。したがって、カードＣＢが第２のカード処理手段３３に対向し、この第２のカード処理手段３３とカードＣＢとの間で無線によってカードＣＢのデータの処理が行われる。
【００２０】
この場合、排出ローラ１９と第２のピンチローラ２３とによって挟持されたカードＣＢと第２のカード処理手段３３との間隔Ｈが、カードＣＢの自重によって撓むなどして変化したり、カードＣＢの矢印Ａ−Ｂ方向における停止位置がずれたとしても、第２のカード処理手段３３とカードＣＢとの間におけるデータの送受信を無線によって行っているため、データの処理に支障をきたすようなことがない。
【００２１】
第２のカード処理手段３３によるカードＣＢのデータの処理が終了すると、モータ９が逆方向へ駆動し、排出ローラ１９と第２のピンチローラ２３とによってカードＣＢが矢印Ｂ方向に搬送され、カードＣＢの後端が取込みローラ１４と第１のピンチローラ２２とによって矢印Ｂ方向へ搬送され、カード挿入口７ａから排出される。
【００２２】
一方、第２のカード処理手段３３とカードＣＢとの間でカードＣＢに記録されたデータが処理された結果、カード排出口８から排出する必要がある場合には、モータ９を正方向に駆動し、排出ローラ１９と第２のピンチローラ２３とによってカードＣＢを矢印Ａ方向へ搬送し、カード排出口８から排出する。
【００２３】
次に、ＩＣ接点スライダ２５によって処理されるデータと、第２のカード処理手段３３によって処理されるデータとが記録されたカードのデータの処理動作を説明する。この場合には、予め、カードの非接触状態での処理に必要な第２のカード処理手段３３を、図４に示すように、基台３０の設置部３０ａに取り付けておく。
【００２４】
この状態としてから、カード（図示せず）をカード挿入口７ａからカード挿入路６に挿入し、カードの前端がシャッタ２０を通過すると、センサ（図示せず）がこれを検知しモータ９が正方向に駆動する。したがって、カードの前端が駆動ローラ１４と第１のピンチローラ２２との対接部まで挿入されると、これら両ローラ１４，２２によって矢印Ａ方向へ搬送される。
【００２５】
カードが矢印Ａ方向へ搬送されると、ソレノイド２９が駆動し揺動部材２８の揺動によってＩＣ接点スライダ２５の係合部２５ｂがカード搬送路６内に進出する。したがって、矢印Ａ方向へ搬送されるカードの前端が係合部２５ｂに係合するので、カードの搬送に追従してＩＣ接点スライダ２５も矢印Ａ方向に移動し、ガイド壁２６のガイド溝２６ａによって案内されて降下するので、ＩＣ接点スライダ２５のＩＣ接点２５ａがカードの電極と接触した状態で、モータ９の駆動が停止しカードの搬送が停止する。ＩＣ接点スライダ２５のＩＣ接点２５ａとカードの電極との間でカードに記録されたデータが処理されると、ソレノイド２９の駆動を解除し、揺動部材２８によるＩＣ接点スライダ２５への押圧を解除し、係合部２５ｂをカード搬送路６から退避させる。
【００２６】
次いで、モータ９を正方向に駆動し、取込みローラ１４と第１のピンチローラ２２および排出ローラ１９と第２のピンチローラ２３とによってカードを矢印Ａ方向へ搬送し、カードの後端部が排出ローラ１９と第２のピンチローラ２３との対接部に位置すると、モータ９の駆動が停止し、カードの搬送も停止する。この状態で、カードの後端部が排出ローラ１９と第２のピンチローラ２３とによって挟持され、カードの後端部以外の部位がカード排出口８から略水平状態に露呈した状態で保持される。したがって、カードが第２のカード処理手段３３に対向し、この第２のカード処理手段３３とカードとの間で無線によってカードのデータの処理が行われる。第２のカード処理手段３３によるカードのデータの処理が終了すると、モータ９が逆方向へ駆動し、排出ローラ１９と第２のピンチローラ２３とによってカードが矢印Ｂ方向に搬送され、カードの後端が取込みローラ１４と第１のピンチローラ２２とによって矢印Ｂ方向へ搬送され、カード挿入口７ａから排出される。
【００２７】
一方、ＩＣ接点スライダ２５または第２のカード処理手段３３とカードとの間でカードに記録されたデータが処理された結果、カード排出口８から排出する必要がある場合には、モータ９を正方向に駆動し、排出ローラ１９と第２のピンチローラ２３とによってカードを矢印Ａ方向へ搬送し、カード排出口８から排出する。
【００２８】
このように、カード処理装置１に第２のカード処理手段３３を着脱自在に設置する設置部３０ａを設けたことにより、第２のカード処理手段３３を使用しない場合には、第２のカード処理手段３３を設置部３０ａに設置することなく使用することができるから、その場合にはカード処理装置１を小型化することができるとともに、廉価に形成することができる。また、第２のカード処理手段３３を使用するときには、カード処理装置１のカード搬送路６をそのまま使用してカードＣＢの後端部を排出ローラ１９と第２のピンチローラ２３とで挟持することにより、第２のカード処理手段３３によってカードＣＢのデータを処理することができる。このように、第２のカード処理手段３３によってカードＣＢのデータを処理するときに、カードＣＡを処理するために設けたカード搬送路６や駆動ローラ１４，１９等をそのまま使用することができるので、製造コストを削減することができる。
【００２９】
なお、本実施の形態においては、二対の駆動ローラ１４，１９とこれと対接するピンチローラ２２，２３とによってカードの搬送を行うようにしたが、対接する一対の搬送ベルトによって行うようにしてもよい。また、第１のカード処理手段を接触型ＩＣカードＣＡを処理するＩＣ接点スライダ２５としたが、磁気情報を処理する磁気ヘッドとしてもよい。また、本実施の形態においては、カード搬送路６の後端にカードを排出するカード排出口８を設けたが、単に、非接触ＩＣカードＣＢを露呈させる開口を設け、カード排出口としなくてもよい。また、第２のカード処理手段３３をねじ３１ｂによって設置部３０ａに固定したが、設置部３０ａに凹部を設け、この凹部に取付台３４を嵌合させて設置してもよく、また単に設置部３０ａにおくだけでもよく、設置の方法は種々の設計変更が可能である。
【図面の簡単な説明】
【００３０】
【図１】本発明に係るカード処理装置の平面図である。
【図２】接触型ＩＣカードを処理している状態を示す図１におけるII-II 線断面図である。
【図３】図１におけるIII 矢視図である。
【図４】非接触型ＩＣカードを処理している状態を示す図１におけるII-II 線断面図である。
【符号の説明】
【００３１】
１…カード処理装置、６…カード搬送路、７ａ…カード挿入口、８…カード排出口、１４…取込みローラ、１９…排出ローラ、２５…ＩＣ接点スライダ（第１のカード処理手段）、２５ａ…係合部、２５ｂ…ＩＣ接点、３０…基台、３０ａ…設置部、３１ｂ…ねじ、３３…第２のカード処理手段、３４…取付台、３４ａ…取付片、ＣＡ…接触型ＩＣカード、ＣＢ…非接触型ＩＣカード。
【図１】
2005115624.tif 000003
【図２】
2005115624.tif 000004
【図３】
2005115624.tif 000005
【図４】
2005115624.tif 000006